(57)【要約】【課題】開口部の強度を向上させて持ち上げ時に破損が発生しにくい発泡樹脂容器を提供する。【解決手段】発泡合成樹脂材を本体材とし、開口部２０と、側壁部２１と、底部２２とを備え開口部が円形である容体１１であって、開口部に、開口部から容体の外側に張り出すとともに開口部から垂下する折り返し状の補強縁部３０が備えられており、補強縁部の開口部の外側へ張り出している張出し長さＬ１は開口部の半径Ｒに対して０．０７ないし０．１４倍であり、補強縁部の開口部からの垂下する垂下長さＬ２は開口部の半径Ｒに対して０．０４ないし０．９５倍である。【選択図】図３
0003213103.tif 000002
【実用新案登録請求の範囲】
【請求項１】
発泡合成樹脂材を本体材とし、開口部と、側壁部と、底部とを備え前記開口部が円形である容体であって、
前記開口部に、前記開口部から前記容体の外側に張り出すとともに前記開口部から垂下する折り返し状の補強縁部が備えられており、
前記補強縁部の前記開口部の外側へ張り出している張出し長さ（Ｌ１）は前記開口部の半径（Ｒ）に対して０．０７ないし０．１４倍であり、
前記補強縁部の前記開口部からの垂下する垂下長さ（Ｌ２）は前記開口部の半径（Ｒ）に対して０．０４ないし０．９５倍である
ことを特徴とする発泡樹脂容器。
【請求項２】
前記容体における前記底部から前記開口部までの容器高さ（Ｈ）が、前記開口部の半径（Ｒ）に対して０．７５ないし１．２倍である請求項１に記載の発泡樹脂容器。
【請求項３】
前記開口部の開口面積よりも前記底部は小さく形成され、前記側壁部が前記開口部から前記底部にかけて傾斜している請求項１または２に記載の発泡樹脂容器。
【請求項４】
前記容体を構成する前記本体材の一面側または両面側に樹脂フィルムが貼着されている請求項１ないし３のいずれか１項に記載の発泡樹脂容器。
【考案の詳細な説明】
【技術分野】
【０００１】
本考案は、発泡樹脂容器に関し、特に開口部の強度を向上させた容器に関する。
【背景技術】
【０００２】
コンビニエンスストア等の小売店にて販売されるうどんやラーメン等の加熱調理用食品は、適宜の蓋体で封止される椀形状（丼形状）の発泡樹脂容器に収容される（例えば、特許文献１参照）。この加熱調理用食品は、食品容器ごと電子レンジ（マイクロ波照射）によって加熱されることによって、食すことが可能となる。
【０００３】
この種の発泡樹脂容器では、容器の保形性を得るために開口部に全周にわたって外側へ折り返された縁部が形成される。しかしながら、この容器に収容された食品を喫食する際には、容器の開口部に親指をかけるとともに底部に他の指を添えて持ち上げることがあり、内容物（食品）の荷重が親指がかけられている開口部に加わりやすくなる。そして、発泡樹脂容器は可撓性を有しているため、持ち上げ方によっては開口部が引き伸ばされるように撓んで、開口部に亀裂等が生じるおそれがある。この亀裂等が生じることによって、容器では開口部から側壁部にかけて破損しやすいことから、慎重な取り扱いが求められていた。このような破損は内容物を不用意にこぼしてしまう原因となるため、容器の強度の向上が求められている。
【先行技術文献】
【特許文献】
【０００４】
【特許文献１】特開２０１３−１８９２３９号公報
【考案の概要】
【考案が解決しようとする課題】
【０００５】
本考案は、前記の点に鑑みなされたものであり、開口部の強度を向上させて持ち上げ時に破損が発生しにくい発泡樹脂容器を提供する。
【課題を解決するための手段】
【０００６】
すなわち、第１の考案は、発泡合成樹脂材を本体材とし、開口部と、側壁部と、底部とを備え前記開口部が円形である容体であって、前記開口部に、前記開口部から前記容体の外側に張り出すとともに前記開口部から垂下する折り返し状の補強縁部が備えられており、前記補強縁部の前記開口部の外側へ張り出している張出し長さ（Ｌ１）は前記開口部の半径（Ｒ）に対して０．０７ないし０．１４倍であり、前記補強縁部の前記開口部からの垂下する垂下長さ（Ｌ２）は前記開口部の半径（Ｒ）に対して０．０４ないし０．９５倍であることを特徴とする発泡樹脂容器に係る。
【０００７】
第２の考案は、前記容体における前記底部から前記開口部までの容器高さ（Ｈ）が、前記開口部の半径（Ｒ）に対して０．７５ないし１．２倍である請求項１に記載の発泡樹脂容器に係る。
【０００８】
第３の考案は、前記開口部の開口面積よりも前記底部は小さく形成され、前記側壁部が前記開口部から前記底部にかけて傾斜している請求項１または２に記載の発泡樹脂容器に係る。
【０００９】
第４の考案は、前記容体を構成する前記本体材の一面側または両面側に樹脂フィルムが貼着されている請求項１ないし３のいずれか１項に記載の発泡樹脂容器に係る。
【考案の効果】
【００１０】
第１の考案に係る発泡樹脂容器によると、発泡合成樹脂材を本体材とし、開口部と、側壁部と、底部とを備え前記開口部が円形である容体であって、前記開口部に、前記開口部から前記容体の外側に張り出すとともに前記開口部から垂下する折り返し状の補強縁部が備えられており、前記補強縁部の前記開口部の外側へ張り出している張出し長さは前記開口部の半径に対して０．０７ないし０．１４倍であり、前記補強縁部の前記開口部からの垂下する垂下長さは前記開口部の半径に対して０．０４ないし０．９５倍であるため、開口部の強度が向上されて容器の優れた保形性が得られ、持ち上げ時に破損が発生しにくくなる。
【００１１】
第２の考案に係る発泡樹脂容器によると、第１の考案において、前記容体における前記底部から前記開口部までの容器高さが、前記開口部の半径に対して０．７５ないし１．２倍であるため、市場に流通する一般的な容量の容器に対応して補強縁部の優れた補強効果が作用する。
【００１２】
第３の考案に係る発泡樹脂容器によると、第１または２の考案において、前記開口部の開口面積よりも前記底部は小さく形成され、前記側壁部が前記開口部から前記底部にかけて傾斜しているため、逆円錐台形状となって片手で持ち上げやすく、汁物の食品の収容及び喫食に適している。
【００１３】
第４の考案に係る発泡樹脂容器によると、第１ないし３のいずれかの考案において、前記容体を構成する前記本体材の一面側または両面側に樹脂フィルムが貼着されているため、傷付きの抑制や装飾により美麗な外観を得ることができ、内容物と側壁部との直接接触を防いで内容物の汁のしみ込みを防止することができる。
【図面の簡単な説明】
【００１４】
【図１】本考案の一実施形態に係る発泡樹脂容器の側面図である。
【図２】図１の発泡樹脂容器の平面図である。
【図３】図１の発泡樹脂容器の部分断面図である。
【考案を実施するための形態】
【００１５】
図１に示す本考案の一実施形態に係る発泡樹脂容器１０は、発泡合成樹脂材を本体材とし、開口部２０と、側壁部２１と、底部２２とを備えた容体１１である。この発泡樹脂容器１０は、主にコンビニエンスストア等の小売店にて販売されるうどんやラーメン等の加熱調理用食品、弁当類、惣菜類、冷やしうどんや冷やし中華等の冷製食品等の調理済み食品が収容され、適宜の蓋体等（図示省略）により封止される。また特に、発泡樹脂容器１０は、内容物が加熱調理用食品や弁当類、惣菜類等である場合に、これらの内容物とともに電子レンジ（マイクロ波照射）による加熱が可能である。
【００１６】
発泡樹脂容器１０を構成する発泡合成樹脂材は、ポリスチレンフォーム、発泡ポリエチレン、発泡ポリプロピレン等に代表される材料を発泡成形してなる。実施形態の容器はポリスチレンペーパー（ＰＳＰ）の発泡成形体である。従って、多くの気泡が形成されるため断熱性に優れる。容器を握持した際に食品からの熱あるいは手からの熱が容器を介して伝導し難くなり、加熱食品や冷製食品の包装容器として好適である。
【００１７】
この発泡樹脂容器１０は、図１，２に示すように、開口部２０が円形に形成されており、底部２２が開口部２０の開口面積よりも小さい円形であるとともに、側壁部２１が開口部２０から底部２２にかけて傾斜して形成された椀形状（丼形状）からなる。この容器形状は、底部２２に向かって縮小する略逆円錐台形状となるため、片手で持ち上げやすく、うどん、ラーメン、豚汁等の汁物の食品の収容及び喫食に適している。
【００１８】
また、発泡樹脂容器１０では、容体１１を構成する本体材の一面側または両面側に樹脂フィルムが貼着される。樹脂フィルムとしては、ポリプロピレン、ポリエチレン、ポリスチレン、ポリエチレンテレフタレート（ＰＥＴ）等の適宜の可撓変形容易な樹脂から製膜される熱可塑性フィルムが主に用いられる。この樹脂フィルムは、ラミネート加工により発泡合成樹脂材側に貼着される。容器１０の外面に樹脂フィルムを備えることにより、傷付きを抑制するとともに装飾が可能となり、美麗な外観を得ることができる。容器１０の内面に樹脂フィルムを備えることにより、内容物と側壁部２１との直接接触を防ぐことができ、特に汁物の内容物である場合には汁のしみ込みを防止することができる。
【００１９】
当該発泡樹脂容器１０では、図３に示すように、開口部２０に、開口部２０から容体１１の外側に張り出すとともに開口部２０から垂下する折り返し状の補強縁部３０が備えられている。補強縁部３０は、開口部２０を折り返し状に形成することによって開口部２０を補強し、容器の保形性を得る部位である。しかし、単に開口部２０を折り返すだけでは、所望する強度を得ることができない。そこで発明者は試作を繰り返し、補強縁部３０の開口部２０の外側へ張り出している張出し長さＬ１や、開口部２０からの垂下する垂下長さＬ２を調整することによって開口部２０の強度向上が可能であることを見出した。
【００２０】
すなわち、補強縁部３０の張出し長さＬ１は開口部２０の半径Ｒに対して０．０７ないし０．１４倍であり、補強縁部３０の垂下長さＬ２は開口部２０の半径Ｒに対して０．０４ないし０．９５倍である。補強縁部３０の張出し長さＬ１や垂下長さＬ２が短すぎる（Ｌ１＜０．０７Ｒ、Ｌ２＜０．０４Ｒ）場合、補強縁部３０の折り返し部分が小さく、所望する強度が得られない。補強縁部３０の張出し長さＬ１や垂下長さＬ２が長すぎる（Ｌ１＞０．１４Ｒ、Ｌ２＞０．９５Ｒ）場合、補強縁部３０の折り返し部分が大きすぎて補強縁部３０自身が脆弱となり、開口部２０近傍の破損の発生を抑制することができない。
【００２１】
また、補強縁部３０では、市場に流通する一般的な容量の容器に対応して優れた補強効果が作用する。すなわち、補強縁部３０を備えた発泡樹脂容器１０は、容体１１における底部２２から開口部２０までの容器高さＨが、開口部２０の半径Ｒに対して０．７５ないし１．２倍である。容器高さＨが開口部２０の半径Ｒの０．７５倍より低い場合、従来市場で流通されている容器より容量が少なくなる。容器高さＨが開口部２０の半径Ｒの１．２倍より高い場合、嵩高になりすぎて持ち上げにくく、市場流通に適していない。
【００２２】
以上図示し説明したように、本考案の発泡樹脂容器は、開口部に折り返し状の補強縁部が備えられ、補強縁部の張出し長さ（Ｌ１）を開口部の半径（Ｒ）に対して０．０７ないし０．１４倍とし、補強縁部の垂下長さ（Ｌ２）を開口部の半径（Ｒ）に対して０．０４ないし０．９５倍としたことにより、従来に比して開口部の強度を向上させることができ、容器の優れた保形性が得られる。そのため、調理済み食品が収容された当該発泡樹脂容器の持ち上げ時に開口部に破損が発生しにくくなり、喫食時に内容物が不用意にこぼれる可能性が低減される。
【産業上の利用可能性】
【００２３】
本考案の発泡樹脂容器は、開口部の強度が向上されて持ち上げ時の破損が発生しにくくなる。そのため、コンビニエンスストア等の小売店で販売される調理済み食品が収容される発泡樹脂容器の代替として有望である。
【符号の説明】
【００２４】
１０  蓋体
１１  容体
２０  開口部
２１  側壁部
２２  底部
３０  補強縁部
Ｈ    容器高さ
Ｌ１  補強縁部の張り出し長さ
Ｌ２  補強縁部の垂下長さ
Ｒ    開口部の半径
【図１】
0003213103.tif 000003
【図２】
0003213103.tif 000004
【図３】
0003213103.tif 000005